(57)【要約】【課題】ＡがＢに製品Ｐを製作させる。この製品Ｐをお客Ｃに納品する。この時納期短縮と運送費を少なくするために、製品ＰをＢからＣに直接送る。このとき、ＡはＢにＣを知られたくない。またＡはＣにＢを知られたくない。現在の配送システムにはこのような仕組みはない。【解決手段】届け先変更タイプの伝票の使用と、Ａの運送業者への届け先の指示によって解決する。【選択図】図１
2013035683.tif 000002
【特許請求の範囲】
【請求項１】
依頼者の指示により、発送者が運送業者等を使用して物品等を依頼者等に送ったところ、運送の途中で発送者の知らない状況で送り先が変更になり、発送者名も変更になる配送方法。
【請求項２】
依頼者の指示により、発送者が運送業者等を使用して物品等を依頼者等に送ったところ、運送の途中で物品等の発送者が秘匿されていること、外観検査、寸法検査等の検査が行われ、発送者の知らない状況で送り先が変更になり、発送者名も変更になる配送方法。
【発明の詳細な説明】
【技術分野】
【０００１】物や文書などを配送する時、途中で配送先を変更する配送システムに関するものである。
【背景技術】
【０００２】ＡがＢに製品Ｐを製作させる。この製品Ｐをお客Ｃに納品する。この時納期短縮と運送費を少なくするために、製品ＰをＢからＣに直接送る。このとき、ＡはＢにＣを知られたくない。またＡはＣにＢを知られたくない。現在の配送システムにはこのような仕組みはない。しかし現在の仕組みを小変更することによって実現できる。
【先行技術文献】
【特許文献】
【０００３】なし
【非特許文献】
【０００４】なし
【発明の概要】
【発明が解決しようとする課題】
【０００５】背景技術で述べたように、ＡがＢに物品Ｐを製作させる。この製品Ｐをお客Ｃに納品する。このとき納期短縮と運送費を少なくするために、物品ＰをＢからＣに直接送る。このとき、ＡはＢにＣを知られたくない。またＡはＣにＢを知られたくない。この要望を解決するものである。
【課題を解決するための手段】
【０００６】運送会社等が発送者から「配達先変更タイプ伝票」添付の物品等を受け取った場合、集荷場等で依頼主に連絡するか、あらかじめ依頼主からの指示による依頼番号や物品の注文番号から、新しい伝票をプリントするか作成する。次に「配達先変更タイプ伝票」をこの新しい伝票と貼り換える。なお、新しい伝票と貼り換えるとき、物品の品質検査、寸法検査、検査表の作成、Ｂということが分かる文字等の除去などを行ってもよい。なお、運送会社等は、Ｃに製造者はＢであること、Ｂに受領者はＣであることなどについての秘密を漏らしてはならない。
【発明の効果】
【０００７】納期短縮および運送費の削減が行える。また、配送先の変更などのときに、物品等の品質検査、寸法検査などを行うことによって、第三者機関による検査の形態になり、品質レベルが向上する。
【図面の簡単な説明】
【０００８】
【図１】  物や文書などを配送する時、途中で配送先を変更する配送システムの一例。
【図２】  図１に示す配送システムの２つ目の例。
【図３】  ＢがＡに物品を送る届け先変更タイプ伝票
【図４】  運送業者等が届け先変更タイプ伝票を貼り換える伝票。
【発明を実施するための形態】
【０００９】図１、２のように指示が流れ、また物品が流れる。なお、図３、４のような伝票によって物品または文書が運送される。
【実施例】
【００１０】届け先変更の実施例１を図１に示す。これは運送業者等の集荷場Ｇで届け先を変更する例である。
１）ＡはＢに物品Ｐの製造を注文する。そのとき、物品ＰをＡに送るときは、Ｑ運送会社を使い、伝票は「配達先変更タイプ伝票」を使用し、注文番号１５６３４３２５を記入するよう指示する。
２）物品Ｐは出荷され、Ｑ運送会社の集荷場Ｇに集まる。
３）伝票が「配達先変更タイプ」なのでＡの郵便番号と注文番号１５６３４３２５でコンピュータ検索したら図４に示す依頼人Ａ、届け先Ｃの伝票が印刷されてプリンタから出てきた。
４）「配達先変更タイプ伝票」ははがし易い糊を使用しているので容易にはがせたので図４の新しい伝票を貼った。
５）Ｑ運送会社はＡに注文番号１５６３４３２５の物品ＰはＣに出荷されたことを知らせた。このとき新しい問合わせ伝票番号も知らせた。
６）物品Ｐは方向別配送場で大別された地域に運送され、最終的にＣに配送された。
７）この間Ｑ運送会社はＢにＣのことを、そしてＣにはＢのことを秘密にし、聞かれても何も言わなかった。
以上の結果、ＢからＡへ、ＡからＣへ配送される場合よりも配送時間は５日間から２日間に短縮した。また、運送費は１８００円から９００円に節約できた。【００１１】届け先変更の実施例２を図２に示す。これは集荷場よりも大きな施設の方向別配送場Ｄで届け先を変更する例である。なお、ここで物品の検査を行うので再出荷タイプと言ったほうがよい。実施例１と違う点を明確に記述する。
１）ＡはＢに物品Ｐの製造を注文する。そのとき、物品ＰをＡに送るときは、Ｑ運送会社を使い、伝票は「再出荷タイプ伝票」を使用し、注文番号２７６６３３２５を記入するよう指示する。
２）物品Ｐは「再出荷タイプ伝票」を用いて出荷され、Ｑ運送会社の集荷場を経由して方向別配送場Ｄに集まる。
３）伝票が「再出荷タイプ」なのでＡの郵便番号と注文番号２７６６３３２５でコンピュータ検索したら図４に示す依頼人Ａ、届け先Ｃの伝票が印刷されてプリンタから出てきた。また、「再出荷タイプ」なので次に示す検査指示も受け取った。
ア）Ｂ社が製造したという表示の有無の検査。
イ）外観検査
ウ）寸法検査
４）検査を実施した後、Ａが準備した検査記録表に検査結果を記録し、物品Ｐの梱包の中に入れ再梱包した。「再出荷タイプ伝票」ははがし易い糊を使用しているので容易にはがせた。そして図４の新しい伝票を貼った。
５）Ｑ運送会社はＡに注文番号２７６６３３２５の物品ＰはＣに出荷されたことを知らせた。このとき新しい問合わせ伝票番号も知らせた。
６）物品Ｐは方向別配送場で大別された地域に運送され、最終的にＣに配送された。
７）この間Ｑ運送会社はＢにＣのことを、そしてＣにはＢのことを秘密にし、聞かれても何も言わなかった。
以上の結果、ＢからＡへ、ＡからＣへ配送される場合よりも配送時間は５日間から３日間に短縮した。また、運送費は１８００円から３０００円になったが検査も行われたので結果的には節約できた。なお、検査も独立した機関で行われ、成果が出た。
【産業上の利用可能性】
【００１２】工場を持たないで、他に製造を依頼している。依頼先からお客様へ最短時間でしかも最小費用で物品を納品したい。ただし、製造者とお客様が直接取引されたくない。また、Ｌ国の人がＭ国で製造させてＮ国に納品したい時など、納期短縮効果は大きい。このように本件の産業上の利用可能性は大きいと考える。
【符号の説明】
【００１２】Ａ  依頼者
Ｂ  製造者等
Ｃ  納入先
Ｄ  運送業者等の方向別配送場
Ｅ  製造指示等の手配ルート
Ｆ  運送業者等による変更する届け先の問合わせ
Ｇ  集荷場
Ｈ  依頼者からの変更する届け先の指示
Ｐ  運送される物品等
Ｉ  Ｂ社が製造したという表示等の有無の検査
Ｊ  物品等の外観検査
Ｋ  物品等の寸法検査
Ｌ  例えば日本
Ｍ  例えばベトナム
Ｎ  例えば米国
Ｑ  運送業者等
【図１】
2013035683.tif 000003
【図２】
2013035683.tif 000004
【図３】
2013035683.tif 000005
【図４】
2013035683.tif 000006